(57)【要約】【課題】蓋体が４条ねじ（ヘリコイド）式の係合手段で容器本体に取り付けられるようになされたパウダー容器において、係合部分に寸法的なばらつきがあっても、確実に機能し、かつ蓋体もがたつかないようにする。【解決手段】容器本体１と、この容器本体内に装填されるレフィールとしての中容器４と、容器本体の上面を塞ぐように取り付けられる蓋体５とからなるパウダー容器において、容器本体を外胴２と内胴３との二部材で構成した。そして、この内胴には、装填された中容器の外周部分と係合し、中容器を上下動可能かつ脱落不可に係止保持する係止片３ｃを設けると共に、中容器の底面に当接して中容器を上方付勢する弾性片３ｄを設けた。このことで、閉蓋時に蓋体が常時押し上げられるように為し、係合部分に寸法的なばらつきがあっても、安定した係脱操作が行え、かつ、がたつきも生じないようにした。【選択図】図１
0003126778.tif 000002
【実用新案登録請求の範囲】
【請求項１】
容器本体と、該容器本体内に着脱可能に装填されるレフィールとしての中容器と、容器本体の外周に設けられた複数の突条と係合し、該容器本体の上面を塞ぐように取り付けられる蓋体とを具備したパウダー容器において、
上記容器本体が、容器の外部を構成した外胴と、この外胴内に一体的に嵌着される内胴との二部材で構成され、かつ、前記内胴には、容器本体内に装填された中容器の外周部分と係合し、該中容器を所定範囲上下動可能かつ脱落不可に係止保持する係止片と、中容器の底面と当接し、該中容器を上方付勢する弾性片とが設けられたことを特徴とするパウダー容器。
【考案の詳細な説明】
【技術分野】
【０００１】
本考案は、粉末化粧料が収納された容器を、レフィールとして取り替えできるパウダー容器に関する。
【背景技術】
【０００２】
この種のパウダー容器としては、レフィール用の中容器が収納される容器本体に、この容器本体の上面を開閉できるように蓋体が枢着されたもの（例えば、特許文献１参照）と、中容器が収納される容器本体に、ねじなどの係合手段で蓋体を取り付けるようにしたもの（例えば、特許文献２参照）の二種がある。
【０００３】
この他に上記の係合手段として、ねじの他に例えば、蓋体の内周と容器本体の外周に、それぞれ、互いに係合可能な４つの突条を設け、少しの回動操作（約１／４回転）で、クリック感を伴って蓋体が係脱されるようにした所謂４条ねじ（ヘリコイド）式のものもあった。（例えば、特許文献３参照）。
【特許文献１】特開２０００−１０２４１４号公報（第３−４頁、図１）
【特許文献２】実用新案登録第２５６５５６９号公報（第２頁、図１）
【特許文献３】特開２００１−１９７９２６号公報（第３−４頁、図２、図３）
【考案の開示】
【考案が解決しようとする課題】
【０００４】
上述した従来のパウダー容器のうち、蓋体を回動可能に枢着した開閉式のものは、蓋体を開放方向に付勢するキックばねなどの付勢手段を要すると共に、この蓋体を閉蓋状態に係止保持し、かつ必要に応じてこの係止状態を解除する押ボタンなどの係止解除機構を要した。従って、構成が複雑で、製造コストが嵩むという問題点があった。また、このような開閉式のものはバッグなどに入れて携帯する際に、押ボタンが不用意に押し込まれ、蓋体の係止状態が解除されるというおそれもあった。
【０００５】
また、ねじで蓋体を取り付けるようにしたものは、不用意に蓋体が開放されるおそれはないものの、開閉時の操作性が悪いという問題点があった。
【０００６】
さらに、この点を改善するために、少しの回動操作で蓋体の係脱が行えるようにしたヘリコイド式のものは、所定の機能を果たすためには、蓋体と容器本体を高い寸法精度で製造しなくてはならなかった。しかしながら、工業的に大量生産されるものにあっては、製造時に多少の寸法誤差が生じることは避けられず、そのため、蓋体と容器本体との間に隙間を生じてガタついたり、あるいは、閉蓋時に適度なフィニッシュ感（クリック感）が得られないという問題を生じるおそれが高かった。
【０００７】
本考案は、上記従来のパウダー容器が有していた問題点の解決を課題とする。
【課題を解決するための手段】
【０００８】
上記の問題点を解決するために、本考案では、容器本体と、該容器本体内に着脱可能に装填されるレフィールとしての中容器と、容器本体の外周に設けられた複数の突条と係合し、該容器本体の上面を塞ぐように取り付けられる蓋体とを具備したパウダー容器において、上記容器本体を、容器の外部を構成する外胴と、この外胴内に一体的に嵌着される内胴との二部材で構成し、かつ、前記内胴には、容器本体内に装填された中容器の外周部分と係合し、該中容器を所定範囲上下動可能かつ脱落不可に係止保持する係止片と、中容器の底面と当接し、該中容器を上方付勢する弾性片とを設けたことを特徴とする。
【考案の効果】
【０００９】
上述したように本考案のパウダー容器では、中容器が装填される容器本体を、外胴と、この外胴内に一体的に嵌着される内胴との二部材で構成し、かつ、前記内胴には、中容器をある程度上下移動可能に係止保持する係止片と、該中容器を上方突出方向に付勢する弾性片とを設けたので、閉蓋時に蓋体には、常時、中容器の付勢力が作用することとなる。よって、容器本体と蓋体との係合箇所に寸法的なばらつきがあっても、蓋体の開閉時に安定した操作感（クリック感）を得ることができ、また、閉蓋状態での蓋体のがたつきも抑えられるという効果がある。
【００１０】
また、このように、係合箇所の寸法的な誤差が許容されるので、蓋体と容器本体をその係合部分に余裕を持たせて成形することができ、製品としての歩留まりの向上が図られると共に、その生産性も向上するという効果がある。
【考案を実施するための最良の形態】
【００１１】
以下、本考案を図示した実施の形態に基づき詳細に説明する。
【００１２】
まず、本考案が対象とするパウダー容器は、内部に充填される化粧料の品質はもとより、化粧料が充填される容器の外観の体裁も重視されるため、一般にコストをかけて高級、かつ高品質に仕上げられている。従って、化粧料を使い終わった後、容器ごと取り替えるのは、不経済であり、そのため、通常は化粧料が充填された中容器を着脱可能とし、この中容器のみを、レフィールとして取り替えるようにしている。
【００１３】
図１は、本考案のパウダー容器の最良の実施形態を示した閉蓋状態の半断面図である。このパウダー容器は、上述した従来公知のものと同様に、上面が開放された容器本体１と、この容器本体１内に着脱可能に装填される中容器４と、この中容器４と容器本体１の上面を塞ぐように取り付けられる蓋体５とで構成されている。
【００１４】
上記中容器４には、パウダー状の化粧料８が充填されており、化粧料８を使い終わった際に、この中容器４がレフィールとして取り替えられるようになっている。なお、この中容器４には、その上面を塞ぐように凹状の内蓋６が取り付けられており、この内蓋６で化粧料８の漏洩を防ぐようになっている。そして、この内蓋６上には、パフ７が載置され、蓋体５を容器本体１に係合させることにより、中容器４と共に、容器内に収納されるようになっている。
【００１５】
ここにおいて、本考案のパウダー容器では、容器本体１を、図２に示したように、容器の外側を構成する外胴２と、この外胴２内に一体的に嵌着される内胴３の二部材で構成している。そして、この内胴３には、周壁を切り欠くようにして、複数の係止片３ｃを設け、底面には、中心に向かって均等な位置に、先端が上方に傾斜した複数の弾性片３ｄを設けている。なお、上記係止片３ｃには、その内周の同高位置に、横方向の突条３ｅを設けている。
【００１６】
また、内胴３の上部外周には、等間隔に４つの係合用ねじ条３ｂが設けられている。このねじ条３ｂは、ヘリコイド式と称される係合手段であり、したがってその終端（傾斜した下方側）位置は、垂直に下方に屈曲され、ここを、蓋体５の下端内周に設けられた突起５ｄが乗り越え、位置決めされるストッパー部３ｆとしている。
【００１７】
なお、図２において符号３ａは、内胴３の外周に設けられた嵌合用の突条、２ｂは、この突条３ａが嵌り込むように外胴２の内周に設けられた凹溝を示す。また、２ａは容器本体１の底面に設けられた中容器押出操作用の開口、６ａは内蓋６の周縁部、６ｂは内蓋６を開放する際の手掛りとなる舌片を示す。
【００１８】
なお、本考案のパウダー容器では、蓋体５の外観体裁を良くするために、蓋体５を質感の異なる複数のパーツ５ａ，５ｂ，５ｃ，５ｆを組み合わせて構成している。また、図１において符号５ｅは、蓋体５の内周側に設けられたリブを示す。
【００１９】
本考案のパウダー容器は、上記の構成を有している。
【００２０】
次に上記構成を有する本考案のパウダー容器の機能について説明する。
【００２１】
まず、使用に際して予め外胴２の凹溝２ｂに、内胴３の突条３ａを嵌め込むことにより、外胴２と内胴３を一体的に嵌着させ、容器本体１を組み立てておく。次に、この状態で容器本体１の内胴３内に中容器４を押し込めば、図１に示すように、中容器４の外周に設けられた凹部４ａに、内胴３の係止片３ｃに設けられた突条３ｅが嵌り込み、中容器４を脱落不可に容器本体１内に係止保持する。このとき、凹部４ａの上下方向の幅は、突条３ｅの上下方向の寸法よりも多少大きく形成されている。したがって、装填された中容器４は、ある程度、上下方向に移動できるようになっている。
【００２２】
さらにこの状態の時、中容器４の裏面には、内胴３に設けられた弾性片３ｄが接し、中容器４を上方突出方向に付勢している。
【００２３】
このようにして、容器本体１内に中容器４を装填した後、中容器４の上面を塞いだ内蓋６上に、適宜、パフ 7などの化粧具を載置し、その上から蓋体５を被せる。この時、蓋体５の内周側に等間隔に設けられた突起５ｄが、容器本体１の外周に等間隔に設けられたねじ条３ｂ，３ｂ間に位置するように両者の位置を合わせる。なお、図示していないが、この突起５ｄは、小突部と大突部からなり、両突部は、ねじ条３ｂ終端のストッパー部３ｆの幅とほぼ等しい寸法の間隔を有している。
【００２４】
次に、この状態から蓋体５を、通常のねじ式のものと同様に、締め込む方向（上面から見て時計回り方向）に回動させると、突起５ｄがねじ条３ｂの下側にもぐり込み、蓋体５の回動に伴ってこの突起５ｄが、ねじ条３ｂの傾斜に沿って下側へと案内される。この時、蓋体５の裏面に設けられたリブ５ｅが、中容器４の上面を塞いだ蓋６の周縁６ａに接するので、弾性片３ｄで上方付勢された中容器４は、蓋体５の回動に伴って、この付勢力に抗して押し下げられることとなる。
【００２５】
やがて、蓋体５に設けられた突起５ｄ先端の小突部（図示せず）が、ストッパー部３ｆを乗り越え、大突部との間でストッパー部３ｆを挟み込んだ位置で、それ以上回動不可に停止し、蓋体５が勝手に回動しないようにロックされる。なお、その際、蓋体 5には、適度なクリック感（フィニッシュ感）が生じるので、蓋体が完全に閉まったか否かが、容易に認識される。
【００２６】
以上のように、本考案のパウダー容器では、４つのねじ条３ｂと、このねじ条３ｂに係合する突起５ｄとからなるヘリコイド式の係合手段により、蓋体５を僅かに回動（約１／４回転）させるだけで、クリック感を伴って蓋体５の係脱がなされる。そして、この係合の際、蓋体５は、弾性片３ｄで押し上げられた中容器４と接して、常に上方に付勢される力を受けるので、例え、係合部分に寸法的なばらつきがあったとしても、係合部分が正確に接して、その係合がなされる。よって、開閉操作時のクリック感もばらつくことなく、常に安定した感触を操作者に与えることができる。さらに、このように蓋体５が、常に中容器４で押し上げられるようになっているので、閉蓋状態において、蓋体５が、係合部分に生じた隙間により、がたつくことも防止される。
【００２７】
以上のようにして、閉蓋がなされ、使用の際は、上記と全く反対に蓋体５を反時計回りにまわせば良く、このことで、蓋体５に設けられた突起５ｄの小突部がストッパー部３ｆを乗り越え、まず、蓋体５のロックが解除される。次いで、突起５ｄがねじ条３ｂの下方から脱出し、両者の係合が解除される。よって、蓋体５を上方に引き上げれば、容易に容器本体１上から取り除くことができ、このことで、容器本体１の上面が使用可能な状態に開放される。
【００２８】
なお、使用の際、中容器４の上面を塞いだ内蓋６は、舌片６ｂをつまむなどして適宜、取り除くこととする。そして、このようにして中容器４に収納された化粧料８を使用し、この化粧料８が無くなれば、外容器１の下面に設けられた開口２ａから中容器４を押し上げれば良く、このことで突条３ｅと、凹部４ａとの係合が外れ、使用後の中容器４を容器本体１から取り出すことができる。そして、ここにレフィールとして化粧料が充填された新たな中容器を装填すれば良く、このことで、本考案のパウダー容器は、引き続き、同様に使用することができる。  以上のようにして本考案のパウダー容器は、使用に供されるものである。
【００２９】
なお、図示した実施の形態では、容器の外観品質を向上させるために、蓋体５を異なる材質の複数のパーツ５ａ，５ｂ，５ｃ，５ｆを組み合わせて構成されるものとしたが、蓋体は、ヘリコイド式に容易に容器本体１に係脱されるものであれば良く、その外観形状は示したものに限定されるものではなく、任意である。
【図面の簡単な説明】
【００３０】
【図１】本考案のパウダー容器の実施形態を示した閉蓋状態の半断面図である。
【図２】容器本体の分解斜視図である。
【符号の説明】
【００３１】
１  容器本体
２  外胴
２ａ  開口
２ｂ  凹溝
３  内胴
３ａ  突条
３ｂ  ねじ条
３ｃ  係止片
３ｄ  弾性片
３ｅ  突条
３ｆ  ストッパー部
４  中容器
５  蓋体
５ｄ  突起
５ｅ  リブ
６  蓋
６ａ  周縁部
６ｂ  舌片
７  パフ
８  化粧料
【図１】
0003126778.tif 000003
【図２】
0003126778.tif 000004